(57)【要約】【課題】  ロータが１回転する範囲内で全閉位置から全開位置まで制御される１回転電動弁の基準位置の設定の簡素化を図る。【解決手段】  弁座１４を有する弁本体１０に固着されるステム４０は雌ねじ部を有し、弁軸５０の雄ねじ部が螺合する。ロータ１００は、固定側のストッパ部７２に当接する突部１４０と、突部より幅の大きなキー部が挿入される開口部１３０と円弧状溝１３２を有する。弁軸５０を全閉位置Ｌ０にした状態でロータ１００の突部１４０をストッパ部７２に当接させた後に、ロータ１００を開弁方向に回転させ、円弧状溝１３２にキー部材を挿入する。キー部材の端面と突部１４０の端面との位相差に対応する微少リフトが基準位置として設定される。【選択図】        図３
2006342891.tif 000002
【特許請求の範囲】
【請求項１】
弁座を有する弁本体と、弁本体に固着されるキャンと、キャン内に配置されるロータと、キャン外に配置されるコイルを有するステータと、ロータに連結される弁軸と、弁本体に固定されて弁軸を案内するストッパ部を有するステムと、ステムと弁軸に形成されるねじ部を備え、ロータが１回転する範囲内で全閉位置から全開位置まで制御される１回転電動弁であって、
ロータに挿入されてステムのストッパ部に当接することにより弁軸が全閉位置から所定量リフトした基準位置を設定するキー部材を備える１回転電動弁。
【請求項２】
ロータは、弁軸先端の弁部が弁座に当接する全閉位置にあるときに、ステムのストッパ部に当接する突部を備える請求項１記載の１回転電動弁。
【請求項３】
ロータに挿入されるキー部材は、ロータの突部より幅寸法が大きく設定される請求項２記載の１回転電動弁。
【発明の詳細な説明】
【技術分野】
【０００１】
本発明は電動弁、特にロータが１回転する範囲内で弁を全閉位置から全開位置まで制御する１回転電動弁に関する。
【背景技術】
【０００２】
空気調和機等に装備されて冷媒の流量を制御する電動弁は、例えば下記の特許文献１に示されている。この種の電動弁は、キャンと称する圧力容器内に配置される磁性材料でつくられたロータをキャンの外側に装備されるコイルを有するステータで回転駆動し、ロータの回転運動をねじ機構により直線運動に変換して弁開度を制御する。ロータの回転範囲は、一般的に数回転程度のものが使用されている。
ロータの回転領域を１回転以内に限定して簡素化を図る電動弁は、下記の特許文献２に提案されている。この電動弁は、ねじ機構を使用せずにカムを利用した構造を有する。
また、特許文献３は、流路を軸方向に形成した１回転電動弁を開示する。
【特許文献１】特開２００１−３０４４４５号公報
【特許文献２】特開平８−３１２８２２号公報
【特許文献３】特許第３４１３３９９号公報
【発明の開示】
【発明が解決しようとする課題】
【０００３】
上述した特許文献２の１回転電動弁は、流体力の影響により、弁体が動くおそれがあるので、非動作時にもコイルに通電を保つ必要があり、省エネに反し、また、異物がつまりやすい構造である。
また、特許文献３のものは、配管が軸線方向にあるために、コイルの取り外しができず、また、流路部に異物がつまりやすい問題がある。
本発明の目的は、上述した不具合を解消するため、ニードル式構造の１回転式電動弁において基準点時に一定の微少リフト量を簡単に保つことができるストッパ構造を備えた１回転電動弁を提供するものである。
【課題を解決するための手段】
【０００４】
上述した目的を達成するために、本発明の１回転電動弁は、ロータに挿入されてステムのストッパ部に当接することにより弁軸が全閉位置から微少所定量リフトした基準位置を設定するキー部材を備えるものである。そして、ロータは、弁軸先端の弁部が弁座に当接する全閉位置にあるときに、ステムのストッパ部に当接する突部を備え、ロータに挿入されるキー部材は、ロータの突部より幅寸法が大きく設定されるものである。
【発明の効果】
【０００５】
本発明の１回転電動弁は、基準位置を正確に設定することができる。また、キー部材の幅寸法を選択することにより基準位置を任意に設定することができる。
【発明を実施するための最良の形態】
【０００６】
図１〜図５は、本発明の１回転電動弁の弁機構とロータ及びその周辺の部材を示す説明図である。
図１において、弁本体１０は、黄銅等でつくられ、弁室１２と弁座１４を有する。弁本体１０に対して冷媒の配管２０，２２が接続される。弁本体１０の上部には、図示しないキャンをとりつけるための受け部材３０が固着される。受け部材３０は、キャンの下端部が係合される段付部３２を有する。
【０００７】
弁本体１０の軸線上にはステンレス等でつくられるステム４０が圧入固定される。ステム４０には、雌ねじ部４２と、弁軸５０を案内する内径部４４が形成され、内径部４４と外周部を連通する均圧穴４６が設けられる。
弁軸５０には、ステム４０の雌ねじ部４２に螺合する雄ねじ部５２と、ロータの取付軸５４、フランジ５５、弁部５６を有する。弁部５６は、先端が鈍角のテーパー部に形成されており、弁座１４に対して離接する。
ステム４０の外周部には、ストッパ部材７０が固着される。このストッパ部材７０は樹脂等でつくられる円筒形状の部材で、外方へ突出するストッパ部７２を有する。なお、このストッパ部材７０をステム４０と一体の部品で構成することもできる。
【０００８】
図２は、ロータ１００の構造を示す説明図である。ロータ１００は、磁性材料を含む樹脂でつくられ、円筒形状のロータ本体１１０と、連結部１２１を介して本体１１０の中心部に固定される取付部１２０を有する。取付部１２０は、内径部１２２を有し、弁軸５０の取付軸５４に嵌合される。取付部１２０に隣接して連結部１２１に均圧穴１２４が設けられる。
ロータ本体の連結部１２１には円弧状の開口部１３０が形成され、この円弧状の開口部に連続してロータ本体の軸線方向に延びる円弧状溝１３２と、円弧状溝１３２の底部から内側に突出する突部１４０が設けられる。
【０００９】
図３は、ロータ１００を弁軸５０に対してとりつけた状態を示す。
弁軸５０は、先端の弁部５６が弁座１４に当接した位置Ｌ０までねじ込まれた状態であり、弁軸５０の取付軸５４とロータ１００の取付部１２０は、回転摺動できる寸法を有する。この状態でロータ１００の突部１４０をステム４０の外周部に固着したストッパ部材７０のストッパ部７２の端面に当接させる。
次に、本発明の電動弁は、基準点を調整するためのキー部材２００を備える。
【００１０】
図４は、キー部材２００の構造を示す説明図である。キー部材２００は樹脂等でつくられ、第１の円弧柱部２１０と、第１の円弧柱部２１０に連続する第２の円弧柱部２２０を有する。
円弧柱部２１０，２２０の円弧幅寸法は、ロータ１００の内側に設けられる突部１４０の幅寸法より大なる寸法を有する。
次に、ロータ１００の取付部１２０と弁軸５０の取付軸５４の間を溶接等の適宜の手段で結合する。この状態でロータ１００を開弁方向に回転させて弁軸５０を上昇させる。
【００１１】
図５に示すように、ロータ１００の連結部１２１に設けた開口部１３０にキー部材２００を挿入し、第１の円弧柱部２１０を圧入する。
この状態で第２の円弧柱部２２０がストッパ部材７０のストッパ部７２に当接する位置までロータ１００を閉弁方向に回転させる。このロータの位置にあっては、弁軸５０の先端位置Ｌ１は、全閉位置Ｌ０に対して所定の微少寸法だけ上昇（リフト）した位置となる。
【００１２】
本発明の１回転電動弁にあっては、この位置を閉弁方向の基準位置とする。
基準位置のリフト量の調整は、弁軸５０の回転角度とねじピッチにより設定される。そこでキー部材の円弧幅寸法を変更することにより任意に設定できる。
また、ロータ部の突部１４０とキー部材２００の円弧寸法の管理のみで基準点微少リフト量の管理を行うことができる。
本発明の１回転電動弁は以上のように、簡単な構成で、正確な基準位置の調整を行うことができる。
【図面の簡単な説明】
【００１３】
【図１】本発明の１回転電動弁の弁本体，ステム，弁軸を示す説明図。
【図２】ロータの説明図。
【図３】ロータを弁軸にとりつけた状態を示す説明図。
【図４】キー部材の説明図。
【図５】本発明の１回転電動弁の基準位置の設定手段を示す説明図。
【符号の説明】
【００１４】
１０  弁本体
１２  弁室
１４  弁座
２０，２２  配管
３０  受け部材
４０  ステム
５０  弁軸
５２  雄ねじ部
５４  取付軸
５６  弁部
７０  ストッパ部材
７２  ストッパ部
１００  ロータ
１２０  取付部
１３０  開口部
１３２  円弧状溝
１４０  突部
２００  キー部材
【図１】
2006342891.tif 000003
【図２】
2006342891.tif 000004
【図３】
2006342891.tif 000005
【図４】
2006342891.tif 000006
【図５】
2006342891.tif 000007